(57)【要約】【課題】  本発明の課題は、レンズ支持体が精度良く移動できるレンズ駆動装置を得ることにある。【解決手段】  本発明のレンズ駆動装置１は、レンズ支持体７と、レンズ支持体７の外周側に固定したコイル１０と、断面略コ字状で内周側に開口を有するヨーク３と、ヨーク３の内部に設けたマグネット１３とを備え、レンズ支持体７は外周にフランジ部２１を備え、フランジ部２１にはコイル取り付け部２３とヨーク突き当て部２５とが設けられており且つコイル取り付け部２３がヨーク３の内部に位置しており、コイル取り付け部２３にはコイル１０を接着固定しており、フランジ部２１がヨーク３の開口を移動し且つヨーク３の開口端にフランジ部２１のヨーク突き当て部２５が当接してレンズ支持体７の移動を規制しており、フランジ部２１にはヨーク突き当て部２５よりもレンズの移動方向に凹んだ接着剤逃げ部２７を形成している。【選択図】      図１
2006208427.tif 000002
【特許請求の範囲】
【請求項１】
レンズ支持体と、レンズ支持体の外周側に固定したコイルと、断面略コ字状で内周側に開口を有するヨークと、ヨークの内部に設けたマグネットとを備え、コイルに通電してレンズ支持体を移動させるレンズ駆動装置であって、レンズ支持体は外周にフランジ部を備え、フランジ部にはコイル取り付け部とヨーク突き当て部とが設けられており且つコイル取り付け部がヨークの内部に位置しており、コイル取り付け部にはコイルを接着固定しており、フランジ部がヨークの開口を移動し且つヨークの開口端にフランジ部のヨーク突き当て部が当接してレンズ支持体の移動を規制しており、フランジ部にはヨーク突き当て部よりもレンズの移動方向に凹んだ接着剤逃げ部が形成されていることを特徴とするレンズ駆動装置。
【請求項２】
接着剤逃げ部の外周側面がヨーク突き当て部の外周側面よりもコイル取り付け部側に突き出ていることを特徴とする請求項１に記載のレンズ駆動装置。
【請求項３】
コイル取り付け部には無数の凹凸が形成されていることを特徴とする請求項１又は２に記載のレンズ駆動装置。
【発明の詳細な説明】
【技術分野】
【０００１】
本発明は、レンズ駆動装置に関する。
【背景技術】
【０００２】
特許文献１及び図７、図８には、レンズ駆動装置１００のレンズ支持体１０７において、レンズ支持体１０７のフランジ部１２１にはコイル取り付け部１２３とヨーク突き当て部１２５とが設けられており、コイル取り付け部１２５にコイル１１０を接着固定し、フランジ部１２１がヨーク１０３の開口を移動する技術が開示されている。
【０００３】
【特許文献１】特開２００４−２８００３１号公報
【発明の開示】
【発明が解決しようとする課題】
【０００４】
しかし、特許文献１に記載の従来技術は、フランジ部１２１にコイルの取り付け部１２３とヨークの突き当て部１２５とが設けられているので、コイル１１０を取り付けるために使用した接着剤Ｓがコイル取り付け部１２３からはみだして、ヨークの突き当て部１２５に流れ込むおそれがある。接着剤Ｓがヨーク突き当て部１２５に流れ込むと、ヨーク１０３の開口端１０３ａが接着剤Ｓに突き当って、レンズ支持体１０７が精度良く移動し難いという問題がある。
【０００５】
本発明は、レンズ支持体が精度良く移動できるレンズ駆動装置を得ることを目的とする。
【課題を解決するための手段】
【０００６】
前記課題を解決するために、請求項１に記載された発明は、レンズ支持体と、レンズ支持体の外周側に固定したコイルと、断面略コ字状で内周側に開口を有するヨークと、ヨークの内部に設けたマグネットとを備え、コイルに通電してレンズ支持体を移動させるレンズ駆動装置であって、レンズ支持体は外周にフランジ部を備え、フランジ部にはコイル取り付け部とヨーク突き当て部とが設けられており且つコイル取り付け部がヨークの内部に位置しており、コイル取り付け部にはコイルを接着固定しており、フランジ部がヨークの開口を移動し且つヨークの開口端にフランジ部のヨーク突き当て部が当接してレンズ支持体の移動を規制しており、フランジ部にはヨーク突き当て部よりもレンズの移動方向に凹んだ接着剤逃げ部が形成されていることを特徴とする。
【０００７】
請求項２に記載された発明は、請求項１に記載の発明において、接着剤逃げ部の外周側面がヨーク突き当て部の外周側面よりもコイル取り付け部側に突き出ていることを特徴とする。
【０００８】
請求項３に記載された発明は、請求項１又は２に記載の発明において、コイル取り付け部には無数の凹凸が形成されていることを特徴とする。
【発明の効果】
【０００９】
請求項１に記載の発明によれば、フランジ部にはヨーク突き当て部よりもレンズの移動方向に凹んだ接着剤逃げ部が形成されているので、レンズ駆動装置の組み立て時にコイルをコイル取り付け部に接着固定する場合に、コイル取り付け部からはみ出した接着剤が接着剤逃げ部に流れ込み易く、ヨーク突き当て部に接着剤が流れ込み難くなる。よって、ヨーク突き当て部に接着剤が付着し難く、レンズ支持体が移動する際、ヨークの開口端がヨーク突き当て部に確実に当接することができ、レンズ支持体が精度良く移動できる。
【００１０】
請求項２に記載された発明によれば、請求項１に記載の発明と同様の効果を奏すると共に、接着剤逃げ部の外周側面がヨーク突き当て部の外周側面よりもコイル取り付け部側に突き出ているので、接着剤逃げ部の方がヨーク突き当て部よりもコイル取り付け部側に近くなり、接着剤がより接着剤逃げ部の方に移動しやすくなる。
【００１１】
請求項３に記載された発明によれば、請求項１又は２に記載の発明と同様の効果を奏すると共に、コイル取り付け部には無数の凹凸が形成されているので、接着剤の接着面積が平滑な場合に比べて広くなり、コイルの接着強度を高めることができる。
【発明を実施するための最良の形態】
【００１２】
以下に、添付図面を参照して、本発明の実施の形態を詳細に説明する。図１は図３に示すレンズ支持体を抜きだして示す斜視図、図２は図５に示す（ａ）部分を抜き出して示す断面図、図３は図５に示す（ｂ）部分を抜き出して示す断面図、図４は本実施の形態に係るレンズ駆動装置の図であり、レンズ支持体の駆動前の状態を示す縦断面図、図５は本実施の形態に係るレンズ駆動装置の図であり、レンズ支持体の駆動後の状態を示す縦断面図、図６は本実施の形態に係るレンズ駆動装置の分解斜視図である。
【００１３】
本実施形態に係るレンズ駆動装置１は、携帯電話のオートフォーカスレンズに組み込まれるものであり、略円筒状のヨーク３と、ヨーク３が装着されるベース５と、ベース５を支えるフレーム６と、ヨーク３の内周側に配置されるレンズ支持体７と、レンズ支持体７の外周側に配置されるコイル１０と、レンズ支持体７の前後方向に配置される前方スプリング９及び後方スプリング１１とを備えている。
【００１４】
ヨーク３は、断面が略コ字状であり、外周側の外側ヨーク３ａと内周側の内側ヨーク３ｂとからなり、外側ヨーク３ａの内周面にリング状のマグネット１３が配置されている。マグネット１３はリング状であり、周方向に沿って４つの円弧状のブロックに分かれている。
【００１５】
ベース５はヨーク３の外周に沿った形状に外周壁５ａが設けられており、ベース５の底面側にはセンサホルダ２９を取り付けている。
【００１６】
フレーム６には開口部が形成されており、開口部の内周に係合突起８が設けられている。そして、係合突起８とキャップ１５の外周に形成された凹部１６が係合して、キャップ１５の周方向への移動が規制されている。
【００１７】
前方スプリング９は金属製のリング状の板バネであり、内周部９ａと外周部９ｂとで構成されている。内周部９ａは外周部９ｂに対して前後に付勢するようになっており、内周部９ａはレンズ支持体７とキャップ１５との間に挟持固定し、外周部９ｂはヨーク３とフレーム６との間に挟持固定されている。
【００１８】
後方スプリング１１は前方スプリング９と同様に金属製のリング状の板バネであり、内周部１１ａと外周部１１ｂとで構成されている。内周部１１ａは外周部１１ｂに対して前後方向に付勢するようになっており、内周部１１ａはレンズ支持体７とベース５との間に挟持固定し、外周部１１ｂは後方スペーサ１９とベース５との間に挟持固定されている。
【００１９】
レンズ支持体７は略円筒形状であり、その内部にレンズ１２が固定されている。また、レンズ支持体７は外周にフランジ部２１を備え、フランジ部２１にはコイルの取り付け部２３とヨークの突き当て部２５とが設けられている。内側ヨーク３ｂの開口端３ｃとヨークの突き当て部２５との間には開口が設けられており、係る開口をフランジ部２１が移動するようになっている。図４に示すように、レンズ支持体７が最後方に位置したときにはレンズ支持体７がベース５に突き当るようになっており、図５に示すようにレンズ支持体７が最前方に位置したときには、内側ヨーク３ｂの開口端３ｃがレンズ支持体７のヨーク突き当て部２５の当接面に突き当るようになっている。
【００２０】
フランジ部２１にはヨーク突き当て部２５の当接面よりもレンズ１０の移動方向に凹んだ接着剤逃げ部２７が形成されていると共に接着剤逃げ部２７の外周側面２７ａがヨーク突き当て部２５の外周側面２５ａよりもコイル取り付け部２３側に突き出ている。
【００２１】
コイル取り付け部２３はその表面に無数の凹凸２３ａが形成されている。
【００２２】
次に、本実施の形態に係るレンズ駆動装置の組み立て及び作用及び効果を説明する。レンズ駆動装置１を組み立てる場合、レンズ１２を内蔵したレンズ支持体７に後方スプリング１１を取り付け、その後、マグネット１３とレンズ支持体７に固定したコイル１０をヨーク３の内側に配置し、レンズ支持体７は後方スペーサ１９を介してベース５に固定する。コイル１０はレンズ支持体７のヨーク突き当て部２５の外周側面２５ａ及び接着剤逃げ部２７の外周側面２７ａで位置決めした後、コイル１０の底面部１０ａとコイル取り付け部２３の凹凸２３ａとの間、ヨーク突き当て部２５の外周側面２５ａとコイルの内周側面１０ｂとの間、及び接着剤逃げ部２７の外周側面２７ａとコイルの内周側面１０ｂとの間に接着剤Ｓを充填してコイル１０を接着固定している。
【００２３】
そして、前方スペーサ１７とフレーム６との間に前方スプリング９の外周部９ｂを挟み、キャップ１５とレンズ支持体７との間に前方スプリング９の内周部９ａを挟み、ベース５とフレーム６とを固定する。
【００２４】
上述のレンズ駆動装置１において、コイル１０に通電しない場合には、レンズ支持体７は図４に示す位置にあり、コイル１０に通電すると、レンズ支持体７は前方向に電磁力を受けて図５に示す位置まで移動する。再びコイル１０への通電を切断すると、前方スプリング９及び後方スプリング１１の付勢力により、レンズ支持体７は後方向への力を受け、図４に示す元の位置まで移動する。
【００２５】
本実施の形態では、フランジ部２１にはヨーク突き当て部２５よりもレンズの移動方向に凹んだ接着剤逃げ部２７が形成されているので、コイル１０をコイル取り付け部２３に接着固定する場合に、コイル取り付け部２３からはみ出した接着剤Ｓが接着剤逃げ部２７に流れ込みやすく、ヨーク突き当て部２５に接着剤Ｓが流れ込み難くなる。よって、ヨーク突き当て部２５に接着剤Ｓが付着し難く、レンズ支持体７が移動する際、ヨークの開口端３ｃがヨーク突き当て部２５に確実に当接することができ、レンズ支持体７が精度良く移動できる。
【００２６】
接着剤逃げ部２７の外周側面２７ａがヨーク突き当て部２５の外周側面２５ａよりもコイル取り付け部２３側に突き出ているので、接着剤逃げ部２７の方がヨーク突き当て部２５よりもコイル取り付け部２３側に近くなり、接着剤Ｓがより接着剤逃げ部２７の方に移動しやすくなる。
【００２７】
コイル取り付け部２３には無数の凹凸２３ａが形成されているので、接着剤Ｓの接着面積が平滑な場合に比べて広くなり、コイル１０の接着強度を高めることができる。
【００２８】
なお、本発明は、前述した実施形態に限定されることなく、その要旨を逸脱しない範囲で種々変形して実施できることは言うまでもない。
【００２９】
レンズ支持体７のヨーク突き当て部２５の外周側面２５ａ及び接着剤逃げ部２７の外周側面２７ａに凹凸を形成しても良い。
【００３０】
レンズ駆動装置１は携帯電話に係るカメラに限らず、デジタルカメラに用いるものであっても良い。
【図面の簡単な説明】
【００３１】
【図１】図３に示すレンズ支持体を抜きだして示す斜視図である。
【図２】図５の一点鎖線で示す（ａ）部分を抜き出して示す断面図である。
【図３】図５の一点鎖線で示す（ｂ）部分を抜き出して示す断面図である。
【図４】本実施の形態に係るレンズ駆動装置の図であり、レンズ支持体の駆動前の状態を示す縦断面図である。
【図５】本実施の形態に係るレンズ駆動装置の図であり、レンズ支持体の駆動後の状態を示す縦断面図である。
【図６】本実施の形態に係るレンズ駆動装置の分解斜視図である。
【図７】従来例に係るレンズ支持体を抜きだして示す斜視図である。
【図８】従来例に係るレンズ支持体の一部を抜きだして示す断面図である。
【符号の説明】
【００３２】
１              レンズ駆動装置
３              ヨーク
７              レンズ支持体
１０            コイル
２１            フランジ部
２３            コイル取り付け部
２５            ヨーク突き当て部
２７            接着剤逃げ部
【図１】
2006208427.tif 000003
【図２】
2006208427.tif 000004
【図３】
2006208427.tif 000005
【図４】
2006208427.tif 000006
【図５】
2006208427.tif 000007
【図６】
2006208427.tif 000008
【図７】
2006208427.tif 000009
【図８】
2006208427.tif 000010